(57)【要約】 【課題】  熱効率を良好にする。【解決手段】  調理材料が収容された調理釜１を一定方向へ搬送し、搬送される調理釜１を調理釜１の搬送方向に配置され個別に加熱量が調整される複数台の加熱源２で加熱する。調理釜１を搬送，停止が繰返されるように間欠搬送する。調理釜１の搬送の際に加熱源２を調理釜１から離間させ、調理釜１の停止の際に加熱源２を調理釜１に接近させる。【選択図】        図１
2006025877.tif 000002
【特許請求の範囲】
【請求項１】
調理材料が収容された調理釜を一定方向へ搬送し、搬送される調理釜を調理釜の搬送方向に配置され個別に加熱量が調整される複数台の加熱源で加熱する加熱調理方法において、調理釜を搬送，停止が繰返されるように間欠搬送し、調理釜の搬送の際に加熱源を調理釜から離間させ、調理釜の停止の際に加熱源を調理釜に接近させることを特徴とする加熱調理方法。
【請求項２】
調理材料を収容する調理釜と、調理釜を一定方向へ搬送する搬送機構と、調理釜の搬送方向に配置され個別に搬送される調理釜の加熱量が調整される複数台の加熱源とを備えた加熱調理装置において、搬送機構は搬送，停止が繰返される間欠搬送機能を有し、加熱源は調理釜に対して接近，離間させる進退機構が連結されていることを特徴とする加熱調理装置。
【請求項３】
請求項２の加熱調理装置において、加熱源は搬送される調理釜の下方に配置され、進退機構は加熱源を昇降動させるものであることを特徴とする加熱調理装置。
【請求項４】
請求項３の加熱調理装置において、進退機構は複数台の加熱源を並列して搭載した昇降台と昇降台を吊持ちして昇降動させるチェーンとを備えていることを特徴とする加熱調理装置。
【請求項５】
請求項２〜４のいずれかの加熱調理装置において、搬送機構は調理釜を支え搬送方向を案内する支持案内部と調理釜の搬送を送り駆動する移動部とが独立した経路で配設されていることを特徴とする加熱調理装置。
【発明の詳細な説明】
【技術分野】
【０００１】
本発明は、経時的に加熱量を調整して調理材料を加熱により大量に調理する加熱調理に係る技術分野に属する。
【背景技術】
【０００２】
調理材料を加熱により大量に調理する技術としては、調理材料が収容された調理釜を一定方向へ搬送し、調理釜の搬送中に調理釜の搬送方向へ配置された加熱源で調理釜（調理材料）を加熱するものがある。この技術では、多数個の調理釜を連続的に搬送することで調理材料を大量に調理することが可能になる。
【０００３】
加熱調理では、調理材料の特性等に対応して経時的に加熱量を調整することが要求されることがある。然しながら、前述の技術では、調理釜の搬送時間の調整等で総量としての加熱量を調整できるものの、経時的に加熱量を調整することができない。このため、経時的に加熱量を調整して調理材料を加熱により大量に調理することのできる技術の開発が期待されている。
【０００４】
従来、経時的に加熱量を調整して調理材料を加熱により大量に調理することのできる技術としては、例えば下記に記載の特許文献が知られている。下記の特許文献１には、調理材料が収容された調理釜を一定方向へ搬送し、搬送される調理釜を調理釜の搬送方向に配置され個別に加熱量が調整される複数台の加熱源で加熱する技術が記載されている。
【特許文献１】特開平９−１４０５７７号公報
【発明の開示】
【発明が解決しようとする課題】
【０００５】
特許文献１に係る技術では、調理釜の搬送方向と直交する方向での加熱源の配置を工夫して熱効率を高めることを指向しているが、調理釜の搬送空間の確保のために調理釜の搬送方向での加熱源の配置には制約がある。このため、調理釜，加熱源の間からの熱の逃散が激しく全体として熱効率が良くないという問題点がある。
【０００６】
本発明は、このような問題点を考慮してなされたもので、熱効率の良好な加熱調理方法と、この加熱調理法を実施するに好適な加熱調理装置とを提供することを課題とする。
【課題を解決するための手段】
【０００７】
前述の課題を解決するため、本発明に係る加熱調理方法は、特許請求の範囲の請求項１に記載の手段を採用する。
【０００８】
即ち、調理材料が収容された調理釜を一定方向へ搬送し、搬送される調理釜を調理釜の搬送方向に配置され個別に加熱量が調整される複数台の加熱源で加熱する加熱調理方法において、調理釜を搬送，停止が繰返されるように間欠搬送し、調理釜の搬送の際に加熱源を調理釜から離間させ、調理釜の停止の際に加熱源を調理釜に接近させることを特徴とする。
【０００９】
この手段では、調理釜を加熱する際に調理釜に加熱源を接近させることで、調理釜，加熱源の間からの熱の逃散を防止する。なお、調理釜の搬送の際には、加熱源が調理釜から離間し退避することで調理釜の搬送空間を確保する。
【００１０】
さらに、前述の課題を解決するため、本発明に係る加熱調理装置は、特許請求の範囲の請求項２〜５に記載の手段を採用する。
【００１１】
即ち、請求項２では、調理材料を収容する調理釜と、調理釜を一定方向へ搬送する搬送機構と、調理釜の搬送方向に配置され個別に搬送される調理釜の加熱量が調整される複数台の加熱源とを備えた加熱調理装置において、搬送機構は搬送，停止が繰返される間欠搬送機能を有し、加熱源は調理釜に対して接近，離間させる進退機構が連結されていることを特徴とする。
【００１２】
この手段では、調理釜の搬送，停止が搬送機構の間欠搬送によって構成され、加熱源の調理釜に対する接近，離間が進退機構によって構成される。
【００１３】
また、請求項３では、請求項２の加熱調理装置において、加熱源は搬送される調理釜の下方に配置され、進退機構は加熱源を昇降動させるものであることを特徴とする。
【００１４】
この手段では、調理釜が下方から加熱される。
【００１５】
また、請求項４では、請求項３の加熱調理装置において、進退機構は複数台の加熱源を並列して搭載した昇降台と昇降台を吊持ちして昇降動させるチェーンとを備えていることを特徴とする。
【００１６】
この手段では、加熱源が進退機構のチェーンに吊持ちされた昇降台に並列して搭載されて昇降動される。
【００１７】
また、請求項５では、請求項２〜４のいずれかの加熱調理装置において、搬送機構は調理釜を支え搬送方向を案内する支持案内部と調理釜の搬送を送り駆動する移動部とが独立した経路で配設されていることを特徴とする。
【００１８】
この手段では、搬送機構が２つの独立した経路の支持案内部，移動部で搬送される。
【発明の効果】
【００１９】
本発明に係る加熱調理方法は、調理釜を加熱する際に調理釜に加熱源を接近させることで調理釜，加熱源の間からの熱の逃散を防止するため、熱効率が良好になる効果がある。
【００２０】
本発明に係る加熱調理装置は、調理釜の搬送，停止が搬送機構の間欠搬送によって構成され、加熱源の調理釜に対する接近，離間が進退機構によって構成されるため、前述の本発明に係る加熱調理方法の効果を損なうことなく簡素な構造で実施することができる効果がある。
【発明を実施するための最良の形態】
【００２１】
以下、本発明に係る加熱調理方法および装置を実施するための最良の形態を図面に基づいて説明する。
【００２２】
まず、本発明に係る加熱調理方法を実施するための最良の形態を説明する。
【００２３】
この形態では、図１，図２に示すように、調理材料が米，水である炊飯からなる加熱調理に好適なものを示してある。
【００２４】
この形態は、調理材料が収容された調理釜１を一定方向へ搬送し、搬送される調理釜１（調理材料）を調理釜１の搬送方向に配置され個別に加熱量が調整される複数台の加熱源２で加熱する。
【００２５】
調理釜１は、底部の隅部１１ａが曲面形に形成され上部の縁にフランジ１１ｂが設けられた上部開放形の釜本体１１と、釜本体１１に被せられる取手付きの蓋１２とからなる。この調理釜１は、搬送，停止が繰返されるように間欠搬送される。
【００２６】
加熱源２は、調理釜１の湾曲した隅部１１ａに対応する形状を有して調理釜１の底部から側部の一部にかけて嵌合される形状に形成された電熱ヒータからなる。この加熱源２は、搬送される調理釜１の下方に搬送方向に沿って複数台が配置（調理釜１の停止位置に対応）され、全台が同時に昇降動されて調理釜に対して接近，離間される。
【００２７】
この形態では、図１（Ａ）に示すように、調理釜１が停止した際に、加熱源２を上昇させ加熱源２を調理釜１に嵌合するように接近（又は当接）させて加熱調理する。この結果、調理釜１，加熱源２の間からの熱の逃散を防止することができ、全体の熱効率が良好になる。また、このときに加熱源２から調理釜１の側面にも熱が伝わるように、調理釜１の側面に接近、又は当接する形状を備えた加熱源を用いるようにしてもよい。また、図１に示すように、調理釜１の形状を、底に向かって断面形状を小さくしたテーパ形状にすることによって、熱効率を向上させるとともに加熱源２の脱着を容易にすることが可能となる。また本発明によれば、調理釜１の側面の５０％乃至１００％を覆う加熱源２を設けることによって、調理釜１のより広い範囲から均一に内容物を加熱調理することも可能である。
そして、図１（Ｂ）に示すように、加熱源２を下降させ調理釜１から離間させると、調理釜１，加熱源２の間に調理釜１の搬送空間を確保することができる。この結果、図１（Ｃ）に示すように、加熱源２が邪魔になることなく調理釜１を搬送することができる。
【００２８】
この加熱料理では、多数個の調理釜１を連続的に搬送することで調理材料を連続的に大量に調理することが可能になる。そして、各加熱源２の加熱量を必要に応じて設定することで、経時的な加熱量の調整が可能になる。即ち、例えば、搬送終端側の加熱源の加熱量を低く設定して炊飯の蒸らしを行わせるなどである。
【００２９】
次ぎに、本発明に係る加熱調理方法を実施するための最良の形態の装置構成の具体的な説明に基づいて、本発明に係る加熱調理装置を実施するための最良の形態を説明する。
【００３０】
この形態の調理釜１は、図３，図４に詳細に示される搬送機構３によって搬送されるようになっている。
【００３１】
搬送機構３は、調理釜１を支え搬送方向を案内する支持案内部３１と、調理釜１の搬送を送り駆動する移動部３２とを備えている。支持案内部３１は、機体枠４に支持され搬送方向（水平方向）へ直線的に平行に配設された２本の軸受枠３１ａと、軸受枠３１に配設方向に沿って一定間隔で回転可能に支持され調理釜１の釜本体１１のフランジ１１を滑動させるローラ３１ｂとからなる。ローラ３１ｂは、軸受枠３１ａにそれぞれ独立して回転可能に支持されることで、搬送の全ラインでの確実な回転を保障して調理釜１（フランジ１１）を確実に滑動させるとともに、調理釜１（フランジ１１ｂ）と点（線）でのみ接触して調理釜１の熱が搬送機構３に伝導して逃散するのを防止する。移動部３２は、機体枠４に回転可能に支持され搬送方向と直交する方向へ配設された１本の駆動軸３２ａと、機体枠４に回転可能に支持され搬送方向と直交する方向へ配設された３本の従動軸３２ｂと、駆動軸３２ａの両端部に相対して固定された合計２枚の駆動ギア３２ｃと、従動軸３２ｂの両端部に相対して固定された合計６枚の従動ギア３２ｄと、駆動ギア３２ｃ，従動ギア３２ｄにエンドレス状に平行に掛渡され上側が搬送の送り，下側が搬送の戻りとされた２本のローラチェーン３２ｅと、ローラチェーン３２ｅのチェーンプレートに回転可能に支持されて相対するローラチェーン３２ｅに一定間隔で２本ずつ掛渡された送りシャフト３２ｆと、駆動軸３２ａに連結された１台の駆動モータ３２ｇとからなる。送りシャフト３２ｆは、調理釜１（釜本体１１）の側部の下方寄りで接触することで、搬送される調理釜１の間隔を一定に保持するとともに、調理釜１に線でのみ接触して調理釜１の熱が搬送機構３に伝導して逃散するのを防止する。また、送りシャフト３２ｆは、ローラチェーン３２ｅの搬送ラインの始端側，終端側において、始端，終端に配置され調理釜１（釜本体１１）の底面を受けるガイドローラ５，６と協同した転動により調理釜１の搬送機構３に対するセット，回収を容易にする。駆動モータ３２ｇは、回転，停止の切換により前述の間欠搬送を行う。支持案内部３１，移動部３２は、熱膨張等による互いの干渉で調理釜１の搬送に支障が生ずることがないように、それぞれ独立した経路で配設されている。
【００３２】
この形態の加熱源２は、電熱線をパイプに収納した９本のシーズヒータ２１が断熱性の収容箱２２に配列されたものが５台が配置されている例を示している。シーズヒータ２１は、調理釜１の曲面形の隅部１１ａに対応して曲面形に配列されている。加熱源２は、図３，図５，図６に詳細に示される進退機構７によって昇降動されるようになっている。
【００３３】
進退機構７は、５台の加熱源２の収容箱２２を並列して搭載した昇降台７１と、昇降台７１を４隅で吊持ちして昇降動させる４本のチェーン７２と、搬送方向と直交する方向に配置された２本のチェーン７２を同時に巻取り，繰出し駆動する搬送の始端側，終端側に設けた合計２枚の駆動ギア７３と、昇降台７１，駆動ギア７３の間でチェーン７２を中継する２枚ずつ合計８枚の従動ギア７４と、２枚の駆動ギア７３を同軸に連結する連結シャフト７５と、１枚の駆動ギア４３に連結されたカム機構７６と、カム機構７６に連結された１台の駆動モータ７７（図３参照）とからなる。昇降台７１は、断熱性材料で形成され、調理釜１，加熱源２の熱が機体枠４の内部に伝導して逃散するのを防止している。２本のチェーン７２は、駆動ギア７３に１８０度の角度を介して固定されて同一巻きに噛合され、駆動ギア７３の回転で同長が巻取り，繰出しされる。従って、昇降動される昇降台７１が傾斜することはない。駆動モータ７７は、回転の正逆の切換によって昇降台７１を昇降動させる。
【００３４】
この形態によると、調理釜１の搬送，停止が搬送機構３の間欠搬送によって構成され、加熱源２の調理釜１に対する接近，離間が進退機構７によって構成されるため、特別に複雑な連係を構成する必要もないことから、簡素な構造で安価に製造できるとともに点検保守も容易である。また、搬送機構３，進退機構７は、ギア，チェーンの噛合構造で駆動されるため、スリップを生ずることなく確実に動作される。
【００３５】
以上、図示した形態の外に、加熱源２として面状の電熱ヒータ，電磁誘導加熱，ガス等を選択することが可能である。なお、選択した加熱源２の種類（例えば、ガス）によっては、調理釜１に接近させた加熱源３の調理釜１へ当接を回避する必要がある場合もある。
【００３６】
さらに、調理釜１の形状によっては、加熱源２を調理釜１の側方，上方から接近，離間させるようにすることも可能である。
【００３７】
図２は、本発明に係る加熱調理装置を用いた加熱調理工程のフローチャートである。
加熱調理処理を開始する場合には「調理釜セット」の処理にて、先ず調理釜１に例えば米、水等の調理材料を所定量投入し、例えば図３に示す左側から調理釜１の底面を受けるガイドローラ５上を移動させて、調理釜１を本発明に係る加熱調理装置の搬入側にセットする。このとき、傾斜による作用、又はガイドローラ５の駆動力によって調理釜１は送りシャフト３２ｆに当接する位置まで搬送しておく。なお、加熱調理処理を行なう前に、必要に応じて調理加熱源２に設けたシーズヒータ２１に予め通電して予熱しておいてもよい。
【００３８】
次ぎの「調理釜搬送」にてシーケンサー等の制御手段が、駆動モータ３２ｇに連結された駆動軸３２ａを所定の回転量駆動させて、調理釜１を第１ステーションまで間欠搬送（図３に示す例では第一の加熱源２が存在する位置まで右方向に間欠搬送）させる処理を行なう。このとき、加熱源２は下降した状態にしておく。
【００３９】
調理釜１が第１ステーションに到達したと判断すると、制御手段は「調理釜停止」にて駆動軸３２ａの回転を停止させて調理釜１の搬送を停止させる。そして、次の「加熱源上昇」にて、駆動モータ７７の駆動軸と連結されたカム機構７６を所定量回転（例えば半回転）させて昇降台７１を上昇させる処理を行なう。昇降台７１には加熱源２が取り付けられているので、加熱源２が調理釜１に嵌合するように接近（又は当接）する。
【００４０】
次ぎの「加熱調理」にて制御手段は、所定の時間経過するのを待って調理釜１を加熱の状態に置く。
所定の加熱調理のための時間が経過すると制御手段は、次の「加熱源降下」にて駆動モータ７７の駆動軸と連結されたカム機構７６を所定量回転（例えば半回転）させて昇降台７１を下降させる処理を行なう。このときの昇降台７１の位置は、調理釜１を搬送させた場合であっても加熱源２と接触しない位置まで下降して離間する。
【００４１】
次ぎの「調理釜搬送」にてシーケンサー等の制御手段は、駆動モータ３２ｇの駆動軸に連結された駆動軸３２ａを所定回転駆動させて，調理釜１を第２ステーションまで間欠搬送させる処理を行ない、「調理釜停止」の処理に戻り、複数の調理釜１に対して加熱処理を行なう。
最終ステーションに調理釜１が存在していた場合には、搬送が終了した際に最終ステーションから加熱調理済みの調理釜１が排出され、ガイドローラ６に搬送されて次の工程に進む。
また、加熱調理処理を終了して調理釜１を排出する場合には、「調理釜搬送」の処理から「調理釜回収」の処理に進み、ステーション上に存在する調理釜１を排出して回収する処理を行なう。
【産業上の利用可能性】
【００４２】
本発明に係る加熱調理方法および装置は、煮物，焼物，蒸物等の加熱調理全般に適用が可能である。
【図面の簡単な説明】
【００４３】
【図１】本発明に係る加熱調理方法を実施するための最良の形態の斜視図で、（Ａ）〜（Ｃ）に加熱調理工程が示されている。
【図２】図１の加熱調理工程のフローチャートである。
【図３】本発明に係る加熱調理装置を実施するための最良の形態の正面断面図である。
【図４】図３の要部の斜視図である。
【図５】図３の他の要部の拡大側面断面図である。
【図６】図５の他動作図である。
【符号の説明】
【００４４】
１            調理釜
２            加熱源
３            搬送機構
３１          支持案内部
３２          移動部
７            進退機構
７１          昇降台
７２          チェーン    
【図１】
2006025877.tif 000003
【図２】
2006025877.tif 000004
【図３】
2006025877.tif 000005
【図４】
2006025877.tif 000006
【図５】
2006025877.tif 000007
【図６】
2006025877.tif 000008